(57)【要約】【課　題】凝縮器からの廃熱を利用して床暖房用パネルを効率よく温めることができる冷蔵庫を提供する。【解決手段】冷蔵庫（１）は、冷媒を圧縮するコンプレッサ（１６）、このコンプレッサで加圧された冷媒を冷却する凝縮器（１７）、膨張弁（２２）および、庫内を冷却する蒸発器（２３）を順次冷媒配管（２１）で接続してコンプレッサに戻る冷凍サイクルと、前記凝縮器の冷媒とブラインとを熱交換する熱交換器（２６）と、前記凝縮器の冷媒を空冷する凝縮器用送風機（１８）と、床暖房用パネル（３１）と、前記ブラインを熱交換器から床暖房用パネルを通して再び熱交換器へ循環させるブライン用ポンプ（３７）と、このブライン用ポンプを制御する制御装置（４１）とを備え、前記制御装置が、コンプレッサに略連動してブライン用ポンプを稼働させる手段を具備している。【選択図】　図１
2004053179.tif 000002
【特許請求の範囲】
【請求項１】
冷媒を圧縮するコンプレッサ、このコンプレッサで圧縮されて高温・高圧状のガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を熱交換器から床暖房用パネルを通して再び熱交換器へ循環させる二次冷媒用ポンプと、
この二次冷媒用ポンプを制御する制御装置とを備え、
前記制御装置が、コンプレッサに略連動して二次冷媒用ポンプを稼働させる手段を具備していることを特徴とする冷蔵庫。
【請求項２】
前記冷媒が二酸化炭素であることを特徴とする請求項１記載の冷蔵庫。
【請求項３】
前記熱交換器は、凝縮器の上流部分の冷媒と二次冷媒用ポンプとを熱交換し、
前記送風機は、凝縮器の下流部分の冷媒を空冷し、
かつ、前記二次冷媒の温度を検出する二次冷媒温度センサが設けられ、
前記制御装置は、二次冷媒温度センサの検出温度が設定二次冷媒温度となるように二次冷媒用ポンプを制御する手段を具備していることを特徴とする請求項１または２記載の冷蔵庫。
【請求項４】
前記送風機は、凝縮器の上流部分の冷媒を空冷し、
前記熱交換器は、凝縮器の下流部分の冷媒と二次冷媒とを熱交換し、
かつ、前記送風機で冷却された冷媒温度を検出する冷媒温度センサが設けられ、
前記制御装置は、前記二次冷媒用ポンプをコンプレッサに略連動してＯＮ−ＯＦＦ制御する手段、および、冷媒温度センサの検出温度が設定冷媒温度となるように送風機のＯＮ−ＯＦＦまたは送風量を制御する手段を具備していることを特徴とする請求項１または２記載の冷蔵庫。
【請求項５】
冷蔵庫の設置されている部屋の室温を検出する室温センサが設けられ、
前記制御装置は、室温センサの検出温度が床暖房停止室温以上になると、二次冷媒用ポンプを停止させる手段を具備していることを特徴とする請求項１ないし４の何れか１項記載の冷蔵庫。
【発明の詳細な説明】
【０００１】
【発明の属する技術分野】
本発明は、台所などに設置される家庭用などの冷蔵庫に関する。
【０００２】
【従来の技術】
従来の冷蔵庫は、庫内の貯蔵物を冷却して冷蔵や冷凍している。そして、冷凍サイクル中の凝縮器からの放熱は、温かい空気となって排出されている。また、台所には、冬場などの寒い日に足元を温める床暖房用パネルが敷かれることがある。この床暖房用パネルは一般的に電気ヒータで加熱される。
【０００３】
【発明が解決しようとする課題】
ところで、床暖房用パネルを電気ヒータで加熱すると、電気の消費量が多く、ランニングコストが増大する。また、従来の冷蔵庫の凝縮器からの温かい空気では、足元を温めることはできない。
そこで、冷蔵庫の凝縮器からの廃熱を、床暖房用パネルの加熱に有効利用することを検討した。そして、凝縮器の温かい冷媒を二次冷媒であるブラインと熱交換して、ブラインを温め、この温かいブラインを床暖房用パネルに流す冷蔵庫の開発を行っている。ブラインはブラインポンプで流すが、このブラインポンプを常時稼働すると、ランニングコストが上昇する。また、ブラインポンプの稼働が不適切であると、床暖房用パネルの温度が快適な状態よりも上昇しすぎることがある。したがって、ブラインポンプを効率的に稼働させる必要がある。
【０００４】
本発明は、以上のような課題を解決するためのもので、凝縮器からの廃熱を利用して床暖房用パネルを効率よく温めることができる冷蔵庫を提供することを目的としている。
【０００５】
【課題を解決するための手段】
本発明の冷蔵庫（１）は、冷媒を圧縮するコンプレッサ（１６）、このコンプレッサで圧縮されて高温・高圧状のガス状冷媒が送風機（１８）で空冷されて液化する凝縮器（１７）、減圧装置（２２）および、冷媒が蒸発して庫内を冷却する蒸発器（２３）を順次冷媒配管（２１）で環状に接続してコンプレッサに戻る冷凍サイクルと、前記冷凍サイクルの高圧側に設けられ冷媒の熱を二次冷媒へ熱交換させる熱交換器（２６）と、床暖房用パネル（３１）と、前記二次冷媒を熱交換器から床暖房用パネルを通して再び熱交換器へ循環させる二次冷媒用ポンプ（３７）と、この二次冷媒用ポンプを制御する制御装置（４１）とを備え、前記制御装置が、コンプレッサに略連動して二次冷媒用ポンプを稼働させる手段を具備している。
【０００６】
また、前記冷媒が二酸化炭素である場合がある。
【０００７】
さらに、前記熱交換器は、凝縮器の上流部分（１７ａ）の冷媒と二次冷媒とを熱交換し、前記送風機は、凝縮器の下流部分（１７ｂ）の冷媒を空冷し、かつ、前記二次冷媒の温度を検出する二次冷媒温度センサ（Ｓ１〜Ｓ３）が設けられ、前記制御装置は、二次冷媒温度センサの検出温度が設定二次冷媒温度となるように二次冷媒用ポンプを制御する手段を具備している場合がある。
【０００８】
そして、前記送風機は、凝縮器の上流部分の冷媒を空冷し、前記熱交換器は、凝縮器の下流部分の冷媒と二次冷媒とを熱交換し、かつ、前記送風機で冷却された冷媒温度を検出する冷媒温度センサ（Ｓ４）が設けられ、前記制御装置が、前記二次冷媒用ポンプをコンプレッサに略連動してＯＮ−ＯＦＦ制御する手段、および、冷媒温度センサの検出温度が設定冷媒温度となるように送風機のＯＮ−ＯＦＦまたは送風量を制御する手段を具備している場合がある。
【０００９】
また、冷蔵庫の設置されている部屋の室温を検出する室温センサ（４７）が設けられ、前記制御装置が、室温センサの検出温度が床暖房停止室温以上になると、二次冷媒用ポンプを停止させる手段を具備している場合がある。
【００１０】
【発明の実施の形態】
次に、本発明における冷蔵庫の実施の第１の形態を図１ないし図５を用いて説明する。図１は本発明にかかる冷蔵庫の実施の第１の形態の概略の説明図である。図２は図１の冷蔵庫の冷媒回路およびブライン回路（二次冷媒の循環回路）の具体例の図である。図３は図２におけるフレーム部冷媒回路および床暖房用パネルを省略した図である。図４は制御装置の入出力図である。図５はブラインポンプの稼働のフローチャートである。なお、図２および図３では、機械室の機器を分かり易く図示するために、各機器が大きく図示されており、野菜室が小さく図示されている。また、ブライン温度センサＳ１〜Ｓ３は、Ｓ１，Ｓ２，Ｓ３の３カ所に図示されているが、何れか１カ所に設置される。
【００１１】
家庭用冷蔵庫１は、その外郭が断熱箱体２で構成されている。この断熱箱体２の内部空間すなわち庫内は、設定温度の異なる複数の部屋（この実施の形態では４室）に仕切られており、上側から冷蔵室６、冷凍室７、冷凍室８および野菜室９となっている。各室６〜９の前面は開口し、この前面開口は断熱扉（図示せず）で開閉自在に閉じられている。また、野菜室９の奥側は、機械室１１となっている。
【００１２】
機械室１１には、庫内を冷却するための機器、すなわち、コンプレッサ１６、凝縮器１７、凝縮器用送風機１８などが設けられている。コンプレッサ１６および凝縮器１７などは、冷媒配管２１で接続されて冷凍サイクルを構成し、冷凍サイクルの冷媒としては、ＣＯ２　（二酸化炭素）が用いられる。この冷凍サイクルは、図１に図示するように、コンプレッサ１６から、順次、凝縮器１７の上流部分（二次冷媒との熱交換部）１７ａ、下流部分１７ｂ、減圧装置としての電動膨張弁２２および蒸発器２３が冷媒配管２１で接続されて、再びコンプレッサ１６に戻っている。そして、蒸発器２３で庫内の空気を冷却している。また、コンプレッサ１６から膨張弁２２までが、冷凍サイクルの高圧側となっている。
【００１３】
熱交換部１７ａはＣＯ２　冷媒の流れる冷媒配管と床暖房用パネル３１（詳細は後述する）用の液状の二次冷媒であるブラインが流れるブライン配管３２とが密着してらせん状に構成され両冷媒体間で熱交換が行われ、この熱交換部１７ａとブライン配管３２とで熱交換器２６が構成されている。熱交換器２６内の凝縮器１７の冷媒の流れと二次冷媒の流路であるブライン配管３２のブラインの流れとは対向流となっており、熱交換器２６内において、上流部分１７ａの上流側の冷媒が下流側のブラインと熱交換し、上流部分１７ａの下流側の冷媒が上流側のブラインと熱交換するように構成されている。また、凝縮器１７の下流部分１７ｂ、凝縮器用送風機１８で空冷され、冷媒は室温近くまで低下する。ところで、図１の冷凍サイクルでは、凝縮器用送風機１８で冷却された冷媒は、直ぐに膨張弁２２に流れているが、実際は、図２に図示するように、凝縮器用送風機１８で冷却された冷媒は、一旦断熱箱体２の左側壁を蛇行し断熱箱体２の上壁を通り、ついで、断熱箱体２の右側壁を蛇行してから再び断熱箱体２の上壁前部を通り、断熱箱体２の前面部分を蛇行しながら下方に行ってから、膨張弁２２に達している。そして、断熱箱体２の前面部分を蛇行している冷媒配管２１が結露防止パイプとなっている。
【００１４】
床暖房用パネル３１は、その内部に二次冷媒流路であるブライン配管３３が蛇行して配置されており、床暖房用パネル３１のブライン配管３３と機械室１１内のブライン配管３２とはカプラ３６で着脱自在に接続されている。冷蔵庫１の本体には、下部側面（この実施の形態では前面）にカプラ３６を接続するためのカプラ連結部が設けられている。また、機械室１１のブライン配管３２には、ブラインを流すためのブラインポンプ３７が設けられている。この二次冷媒用ポンプであるブラインポンプ３７の上流側のブライン配管３２には、ブラインである水を補充するための二次冷媒タンクとしての注水タンク３８が接続されている。
【００１５】
また、ブライン温度センサＳ１〜Ｓ３が、Ｓ１，Ｓ２，Ｓ３の３カ所の何れかに設けられている。
第１のブライン温度センサＳ１は、熱交換器２６のブライン配管３２の下流側部分付近に設けられ、凝縮器１７の冷媒との熱交換直後のブライン温度を検出している。
第２のブライン温度センサＳ２は、ブラインポンプ３７の下流側部分付近に設けられ、ブラインポンプ３７から吐出されるブラインの温度を検出している。
第３のブライン温度センサＳ３は、床暖房用パネル３１に設けられ、床暖房用パネル３１に流れるブラインの温度を検出している。
【００１６】
また、図４に図示するように、冷蔵庫１には、制御装置４１が設けられており、この制御装置４１はマイコンなどで構成されている。そして、この制御装置４１には、種々の電気部品が接続されているが、特にブラインポンプ３７の制御のための電気部品として、入力側に、ブライン温度センサＳ１〜Ｓ３、庫内の温度を検出する庫内温度センサ４６、冷蔵庫１の設置されている部屋（たとえば、台所など）の室温を検出する室温センサ４７、カプラ３６が接続されていることを検知する手段であるカップリングセンサ４８、床暖房を行うか否かを選択するための床暖スイッチ４９、および、床暖房を行う時間を設定するための床暖タイマ設定装置５１などが接続され、一方、出力側に、コンプレッサ１６、ブラインポンプ３７および凝縮器用送風機１８などが接続されている。床暖スイッチ４９は、床暖房を利用したいと思った人がＯＮ側に操作し、床暖房を停止させたいと思った人がＯＦＦ側に操作する。なお、制御装置４１の記憶部（ＲＯＭやＲＡＭなど）には種々の設定値が記憶されるとともに、図示しないタイマを内蔵している。また、制御装置４１は、ブラインポンプ３７の制御以外に種々の制御（たとえば、庫内の温度制御など）を行っている。
【００１７】
この様に構成されている実施の第１の形態の冷蔵庫１は、コンプレッサ１６が稼働すると、冷媒（ＣＯ２　）はコンプレッサ１６で圧縮されて、ついで、凝縮器１７（上流部分１７ａの熱交換部および下流部分１７ｂの空冷部分）においてブライン配管３２のブラインおよび凝縮器用送風機１８で冷却されて、膨張弁２２を通って、蒸発器２３で蒸発して低温となり、庫内の空気を冷却している。
【００１８】
凝縮器１７において冷媒を冷却した廃熱は、従来外気に放出されていたが、この実施の形態では、台所などでの床暖房に有効利用する。冬場などに床暖房に利用する際には、床暖房用パネル３１のカプラ３６を冷蔵庫１の本体のカプラ連結部に連結し、冷蔵庫１本体のブライン配管３２と床暖房用パネル３１のブライン配管３３とを接続する。ブラインポンプ３７は、コンプレッサ１６が稼働すると略連動して稼働し、熱交換器２６で凝縮器１７の冷媒により暖められたブラインを床暖房用パネル３１に循環させる。この様にして、床暖房用パネル３１は温かくなる。なお、ブラインポンプ３７はコンプレッサ１６と略連動しているが、コンプレッサ１６の停止時から少し遅延して、ブラインポンプ３７は停止する。また、凝縮器用送風機１８の制御方法は種々考えられるが、一般的には、ブラインポンプ３７と同様に、コンプレッサ１６と略連動しているとともに、コンプレッサ１６の停止時には少し遅延して停止する。
【００１９】
そして、夏場などにも、冷房による足元の冷えを防止することができる。また、床暖房が不要な場合には、ブラインポンプ３７は停止している。その際に、床暖房用パネル３１が邪魔になる場合には、カプラ３６を冷蔵庫１の本体から離脱させて、床暖房用パネル３１を取り外し、適宜の場所（たとえば、物置など）に収納することができる。
【００２０】
上記ブラインポンプ３７の制御のフローを図５のフローチャートに基づいて説明する。
ステップ１において、制御装置４１は、床暖スイッチ４９がＯＮ側に操作されているか否かを判断し、ＯＮの場合にはステップ２に行き、一方、ＯＦＦの場合にはステップ８に行く。そして、ステップ８において、制御装置４１はブラインポンプ３７が稼働している場合には停止させて、ステップ１に戻り、また、ブラインポンプ３７が停止している場合には、停止している状態を維持して、ステップ１に戻り、床暖スイッチ４９がＯＮ側に切り換わるまで待機する。
【００２１】
ステップ２において、制御装置４１は、その内蔵しているタイマにより、床暖スイッチ４９がＯＮ側に切り換わってからの経過時間の計測を開始し、ステップ３に行く。ステップ３において、制御装置４１は、カップリングセンサ４８により、カプラ３６が接続されているか否かを判定し、接続されていない場合にはステップ８に行き、カプラ３６が接続されるまで待機する。一方、ステップ３において、制御装置４１が、カプラ３６の接続を確認すると、ステップ４に行く。
【００２２】
ステップ４において、制御装置４１は、室温センサ４７の検出値である室温が、制御装置４１に予め設定されている床暖房停止室温（たとえば、約２５℃とし、夏場でもこの温度以下ならば運転を可能にする）以上か否かを判定し、床暖房停止室温以上の場合にはステップ８に行く。そして、ステップ８において、制御装置４１はブラインポンプ３７が稼働している場合には停止させて、ステップ１に戻り、また、ブラインポンプ３７が停止している場合には、停止している状態を維持して、ステップ１に戻り、室温センサ４７の検出値である室温が床暖房停止室温未満に低下するまで待機する。一方、ステップ４において、制御装置４１が、室温センサ４７の検出した室温が床暖房停止室温未満と判定した場合には、ステップ５に行く。
【００２３】
ステップ５において、制御装置４１は、コンプレッサ１６が稼働しているか否かを判定する。コンプレッサ１６の制御方法には種々あるが、一般的には、庫内温度センサ４６の検出値が、制御装置４１に予め設定されている設定庫内温度になるように制御装置４１により制御されている。そのため、コンプレッサ１６の稼働時には、制御装置４１からコンプレッサ１６に稼働信号が出力されており、制御装置４１はコンプレッサ１６の稼働か否かを判定することが可能である。そして、コンプレッサ１６が停止していると制御装置４１が判定した場合には、ステップ９に行く。
【００２４】
ステップ９において、制御装置４１は、ブラインポンプ３７が稼働しているか否かを判定する。このブラインポンプ３７の稼働時には、制御装置４１からコンプレッサ１６に稼働信号が出力されており、制御装置４１はコンプレッサ１６の稼働か否かを判定することが可能である。そして、ブラインポンプ３７が停止していると制御装置４１が判定した場合には、ステップ１に戻り、コンプレッサ１６が稼働するまで待機する。一方、ステップ９において、ブラインポンプ３７が稼働していると制御装置４１が判定した場合には、ステップ１０に行き、遅延時間を経過した後に、ステップ１１に行く。そして、ステップ１１において、ブラインポンプ３７を停止させた後に、ステップ１に戻り、コンプレッサ１６が稼働するまで待機する。
【００２５】
ステップ５において、コンプレッサ１６が稼働していると制御装置４１が判定した場合には、ステップ６に行く。ステップ６において、制御装置４１は、ブライン温度センサＳ１〜Ｓ３の検出値が、制御装置４１に予め設定されている設定ブライン温度（たとえば、約５０℃）になるようにブラインポンプ３７をＯＮ−ＯＦＦ制御する。すなわち、ブライン温度センサＳ１〜Ｓ３の検出値が設定ブライン温度以下の場合には、ブラインポンプ３７を稼働させ、逆に、ブライン温度センサＳ１〜Ｓ３の検出値が設定ブライン温度を越えた場合には、ブラインポンプ３７を停止させる。
そして、ステップ７に行く。
【００２６】
ステップ７において、制御装置４１は、床暖スイッチ４９がＯＮに切り換わってからの経過時間が、制御装置４１に予め設定されているタイマ設定時間になったか否かを判定し、タイマ設定時間になった場合には、ステップ１１に行き、ブラインポンプ３７を停止させるとともに、床暖スイッチ４９をＯＦＦ側に切り換えた後に、ステップ１に戻る。そして、再度、床暖スイッチ４９がＯＮ側に切り換えられるまで待機する。
【００２７】
一方、ステップ７において、タイマ設定時間に達していない場合には、ステップ１に戻り、ステップ２〜５を通過してステップ６に達し、ブラインポンプ３７の制御をタイマ設定時間になるまで継続する。
【００２８】
この様にして、ブラインポンプ３７は、床暖スイッチ４９がＯＮで、カプラ３６により床暖房用パネル３１が冷蔵庫１の本体に接続され、冷蔵庫１の設置されている部屋の室温が床暖房停止室温未満で、コンプレッサ１６がＯＮで、かつ、タイマ設定時間内の場合に、稼働し、床暖房用パネル３１に温かいブラインを供給することができる。
【００２９】
次に、本発明における冷蔵庫の実施の第２の形態を説明する。図６は本発明にかかる冷蔵庫の実施の第２の形態の概略の説明図である。図７は実施の第２の形態のブラインポンプの稼働のフローチャートである。なお、この実施の第２の形態の説明において、前記実施の第１の形態の構成要素に対応する構成要素には同一符号を付して、その詳細な説明は省略する。
【００３０】
前述の実施の第１の形態では、凝縮器１７の上流部分１７ａの冷媒がブライン配管３２のブラインと熱交換を行うとともに、凝縮器１７の下流部分１７ｂが凝縮器用送風機１８で空冷されているのに対して、実施の第２の形態では、凝縮器１７の上流部分１７ａの冷媒が凝縮器用送風機１８で空冷されているとともに、凝縮器１７の下流部分１７ｂがブライン配管３２のブラインと熱交換を行う。そして、実施の第２の形態では、凝縮器１７の下流部分１７ｂと冷蔵庫１の本体側のブライン配管３２とで熱交換器が構成されている。
また、実施の第２の形態ではブライン温度センサＳ１〜Ｓ３の代わりに冷媒温度センサＳ４が設けられている。この冷媒温度センサＳ４は凝縮器１７の上流部分１７ａと下流部分１７ｂとの間に設置され、ブライン配管３２のブラインとの熱交換部に流入する冷媒の温度（言い換えると、凝縮器用送風機１８で空冷された冷媒の温度）を検出する。
【００３１】
この実施の第２の形態におけるブラインポンプ３７の制御のフローを図７のフローチャートに基づいて説明する。
実施の第２の形態のステップ２０〜ステップ２５およびステップ２８〜３２は、実施の第１の形態のステップ０〜ステップ５およびステップ７〜１１と同じであり、実施の第１の形態のステップ６が実施の第２の形態のステップ２６およびステップ２７に入れ代わっている。したがって、ステップ２６およびステップ２７について説明し、他のステップに関しては説明を省略する。
【００３２】
そして、ステップ２５において、コンプレッサ１６が稼働している際には、ステップ２６に行く。ステップ２６において、制御装置４１は、冷媒温度センサＳ４の検出値が、制御装置４１に予め設定されている設定冷媒温度（たとえば、約６０℃）になるように凝縮器用送風機１８の送風量（たとえば回転数）を制御（たとえば、フィードバック制御）する。すなわち、冷媒温度センサＳ４の検出値が設定冷媒温度以下の場合には、凝縮器用送風機１８の送風量を減少させ、逆に、冷媒温度センサＳ４の検出値が設定冷媒温度を越えた場合には、凝縮器用送風機１８の送風量を増大させる。
【００３３】
ステップ２７において、制御装置４１は、ブラインポンプ３７に稼働信号を出力し稼働させる。そして、ステップ２８に行く。
なお、実施の第２の形態では、ブラインポンプ３７は、ＯＮ−ＯＦＦ制御されている。また、床暖房が行われていない際においてコンプレッサ１６が稼働している場合などには、制御装置４１は、冷媒温度センサＳ４の検出値に関係なく、冷媒温度が十分に低下するように凝縮器用送風機１８の送風量を十分大きくなるように制御している。さらに、実施の第２の形態の他の構成は、実施の第１の形態と略同じである。
【００３４】
前述のように、実施の形態では、冷蔵庫１の凝縮器の廃熱を床暖房用パネル３１の加熱に有効利用することができる。床暖房用パネル３１は、ブラインで加熱されており、冷媒配管の様に高圧ではないため、取り扱いが容易である。
また、ブラインポンプ３７は、下記の（ａ）〜（ｃ）などの条件を満たした場合に稼働しており、床暖房用パネル３１を効率よく温めることができる。
（ａ）床暖房用パネル３１が接続されていることを検知していること。
（ｂ）室温センサ４７の検出値が床暖房停止室温未満であること。
（ｃ）コンプレッサ１６が稼働していること。または、コンプレッサ１６の停止直後であること。
【００３５】
そして、床暖房用パネル３１の温度が所定温度となるように、ブラインポンプ３７や凝縮器用送風機１８が制御されており、床暖房用パネル３１の温度が高くなりすぎることを防止することができる。
【００３６】
前述の様にして、制御装置４１は、（１）コンプレッサに略連動して二次冷媒用ポンプを稼働させる手段すなわち、コンプレッサが稼働すると二次冷媒用ポンプを稼働させるとともに、コンプレッサが停止すると二次冷媒用ポンプを遅延させて停止させる手段、（２）二次冷媒温度センサの検出温度が予め設定されている設定二次冷媒温度となるように二次冷媒用ポンプを制御する手段、（３）室温センサの検出温度が予め設定されている床暖房停止室温以上になると、二次冷媒用ポンプを停止させる手段、（４）床暖房用パネルが冷蔵庫本体に接続されているか否かを検知する手段、（５）床暖房用パネルが冷蔵庫本体に接続されていない場合には、二次冷媒用ポンプを停止させる手段などを具備している。
この様に、制御装置４１は、上記手段以外にも、実行される各作用に対応して各々作用を実行する手段を具備している。また、全ての手段を具備している必要は必ずしもない。
【００３７】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）冷凍サイクルの冷媒は、適宜選択可能である。ただし、ＣＯ２　が最適である。
【００３８】
（２）冷蔵庫１の形式や構造などは適宜選択可能であるが、好ましくは、家庭用であり、その庫内は少なくとも３温度帯（すなわち、冷蔵室、冷凍室および野菜室）に仕切られている。
（３）ブラインは液状の二次冷媒であり、水でも可能である。
（４）冷蔵庫１の本体側のカプラ連結部は、図２に図示するように、冷蔵庫本体の下部の前面に設けられているが、下部の側面（前後面を含む）であればよく、左右側面に設けることも可能である。
（５）床暖房停止室温や設定ブライン温度などの各種設定値は適宜変更可能である。
（６）実施の第２の形態において、冷媒温度センサＳ４の検出値が設定冷媒温度になるように、凝縮器用送風機１８をＯＮ−ＯＦＦ制御することも可能である。
【００３９】
【発明の効果】
本発明によれば、冷蔵庫の冷凍サイクルの高圧側の冷媒と二次冷媒とを熱交換する熱交換器が設けられ、この二次冷媒がポンプにより床暖房用パネルに供給されている。したがって、冷蔵庫の庫内を冷却する際の廃熱で床暖房用パネルを温めることができ、ランニングコストを削減することができる。かつ、冷凍サイクルの冷媒を効率よく冷却することができる。冷蔵庫は一般的に台所に設置されており、台所の床暖房に利用することができる。床暖房用パネルを冷凍サイクルの高圧側の冷媒で加熱すると、この冷媒は高圧であるので配管コストが増大するが、冷媒の熱を二次冷媒で交換しており、取り扱いが容易となる。しかも、制御装置が、コンプレッサに略連動して二次冷媒用ポンプを稼働させる手段を具備しており、熱交換器の冷媒の温度が低い時に、二次冷媒用ポンプが稼働することを極力防止することができる。その結果、二次冷媒用ポンプが無駄に稼働することを防止することができる。
【００４０】
また、冷媒が二酸化炭素である場合には、フロン系冷媒よりも、凝縮器における冷媒の温度を上昇させることができ、床暖房用パネルを効率よく温度上昇させることができる。
そして、制御装置が、二次冷媒温度センサの検出温度が設定二次冷媒温度となるように二次冷媒用ポンプを制御する手段を具備している場合には、床暖房用パネルの温度が高くなりすぎることを防止することができる。
【００４１】
さらに、制御装置が、二次冷媒用ポンプをコンプレッサに略連動してＯＮ−ＯＦＦ制御する手段、および、冷媒温度センサの検出温度が設定冷媒温度となるように送風機のＯＮ−ＯＦＦまたは送風量を制御する手段を具備している場合には、二次冷媒は設定冷媒温度の冷媒と熱交換し、略一定の所定の温度となる。したがって、二次冷媒用ポンプはＯＮ−ＯＦＦ制御で行うことができる。その結果、二次冷媒用ポンプの制御回路を簡素化することができる。
【００４２】
そして、制御装置は、室温センサの検出温度が床暖房停止室温以上になると、二次冷媒用ポンプを停止させる手段を具備しており、室温が高い時に床暖房を行うことを防止することができる。
【図面の簡単な説明】
【図１】図１は本発明にかかる冷蔵庫の実施の第１の形態の概略の説明図である。
【図２】図２は図１の冷蔵庫の冷媒回路およびブライン回路の具体例の図である。
【図３】図３は図２におけるフレーム部冷媒回路および床暖房用パネルを省略した図である。
【図４】図４は制御装置の入出力図である。
【図５】図５はブラインポンプの稼働のフローチャートである。
【図６】図６は本発明にかかる冷蔵庫の実施の第２の形態の概略の説明図である。
【図７】図７は実施の第２の形態のブラインポンプの稼働のフローチャートである。
【符号の説明】
Ｓ１〜Ｓ３　ブライン温度センサ（二次冷媒温度センサ）
Ｓ４　冷媒温度センサ
１　冷蔵庫
１６　コンプレッサ
１７　凝縮器
１７ａ　凝縮器１７の上流部分
１７ｂ　凝縮器１７の下流部分
１８　凝縮器用送風機
２１　冷媒配管
２２　膨張弁（減圧装置）
２３　蒸発器
２６　熱交換器
３１　床暖房用パネル
３７　ブラインポンプ（二次冷媒用ポンプ）
４１　制御装置
４７　室温センサ
【図１】
2004053179.tif 000003
【図２】
2004053179.tif 000004
【図３】
2004053179.tif 000005
【図４】
2004053179.tif 000006
【図５】
2004053179.tif 000007
【図６】
2004053179.tif 000008
【図７】
2004053179.tif 000009